【手続補正書】
【提出日】平成30年12月27日(2018.12.27)
【手続補正１】
【補正対象書類名】特許請求の範囲
【補正対象項目名】全文
【補正方法】変更
【補正の内容】
【特許請求の範囲】
【請求項１】
ドメインに結合されたコンテンツサーバにおいてコンテンツに関するコンテンツ要求を受信する段階であって、前記ドメインは前記コンテンツの特性に関連づけられ、前記コンテンツ要求は、前記コンテンツの前記特性に関連づけられて前記コンテンツのオリジンで割り当てられるホスト名に関連づけられる、受信する段階と、
前記コンテンツを供給する段階と、
を備える、コンテンツ配信方法。
【請求項２】
第１のコンテンツに第１の特性を割り当てる段階と、
第２のコンテンツに第２の特性を割り当てる段階と、
第１のドメインに第１のサーバを結合する段階と、
第２のドメインに第２のサーバを結合する段階と、
前記第１のドメインに前記第１のサーバを結合した後、ウェブページの要求を受信する段階と、
前記ウェブページの前記要求の受信に応答して、
前記第１のコンテンツの前記第１の特性に基づいて、第１の埋め込まれたリソースに第１のホスト名を割り当てる段階と、
前記第２のコンテンツの前記第２の特性に基づいて、第２の埋め込まれたリソースに第２のホスト名を割り当てる段階と、
前記第１のホスト名および前記第２のホスト名を返す段階と、
前記第１のホスト名の選択の表示を受信する段階と、
前記第１のホスト名の前記選択の前記表示の受信に応答して、少なくとも前記第１のサーバを用いて前記第１のドメインから前記第１のコンテンツを配信する段階と、
を備える、請求項１に記載のコンテンツ配信方法。
【請求項３】
前記特性は、前記コンテンツの人気度に関する、請求項１または２に記載のコンテンツ配信方法。
【請求項４】
前記特性は、人気と不人気とのうち少なくとも一方であり、前記ドメインは、前記人気の特性を有するコンテンツに関連づけられた人気ドメインと、前記不人気の特性を有するコンテンツに関連づけられた不人気ドメインと、のうち少なくとも一方である、請求項１から３のいずれか一項に記載のコンテンツ配信方法。
【請求項５】
前記ホスト名は、前記コンテンツの前記特性に関連づけられたフィールドを有する改良されたホスト名である、請求項１から４のいずれか一項に記載のコンテンツ配信方法。
【請求項６】
前記改良されたホスト名は埋め込まれたリソースとして提供される、請求項５に記載のコンテンツ配信方法。
【請求項７】
前記ホスト名は、特性．ホスト．トップレベルドメイン（ｃｈａｒａｃｔｅｒｉｓｔｉｃ．ｈｏｓｔ．ｔｏｐｌｅｖｅｌｄｏｍａｉｎ）の形態を有する、請求項５または６に記載のコンテンツ配信方法。
【請求項８】
コンテンツ配信ネットワークであって、
前記コンテンツ配信ネットワークから供給可能なコンテンツに関連づけられた第１の特性に関連づけられた第１のドメインに結合された少なくとも１つの第１のコンテンツサーバと、
前記コンテンツ配信ネットワークから供給可能なコンテンツに関連づけられた第２の特性に関連づけられた第２のドメインに結合された少なくとも１つの第２のコンテンツサーバと、
前記第１のドメインに関連づけられた第１のホスト名または、前記第２のドメインに関連づけられた第２のホスト名のいずれかを含む、埋め込まれたリソースを提供する要求を受信するためのコンピュータ実行可能な命令を含む少なくとも１つの処理デバイスと、
を備える、コンテンツ配信ネットワーク。
【請求項９】
前記第１の特性は、コンテンツの第１の人気度レベルに関し、前記第２の特性は、コンテンツの第２の人気度レベルに関し、前記第１の人気度レベルは前記第２の人気度レベルと異なる、請求項８に記載のコンテンツ配信ネットワーク。
【請求項１０】
前記第１のコンテンツサーバが、埋め込まれたリソースの提供の要求を受信する前に、第１の特性に関連づけられた前記第１のドメインに結びつけられる、請求項８に記載のコンテンツ配信ネットワーク。
【請求項１１】
前記コンピュータ実行可能な命令が、更に、
前記埋め込まれたリソースに関連づけられたコンテンツが前記第１の人気度レベルであるか前記第２の人気度レベルであるかの表示を受信し、
前記コンテンツが前記第１の人気度レベルに関連づけられている場合は前記第１のホスト名を提供し、前記コンテンツが前記第２の人気度レベルに関連づけられている場合は前記第２のホスト名を提供する、
請求項９に記載のコンテンツ配信ネットワーク。
【請求項１２】
前記埋め込まれたリソースは、ＨＴＭＬドキュメントに含まれ、それによって、前記埋め込まれたリソースの選択は、前記第１のホスト名または前記第２のホスト名のどちらが提供されたかに応じて、それぞれ、前記少なくとも１つの第１のコンテンツサーバか前記少なくとも１つの第２のコンテンツサーバのいずれかへの要求を行わせる、請求項８から１１のいずれか一項に記載のコンテンツ配信ネットワーク。
【請求項１３】
前記少なくとも１つの第１のコンテンツサーバか前記少なくとも１つの第２のコンテンツサーバのいずれかへの前記要求が、第１のＣＮＡＭＥを通じて前記第１のドメインへの、または第２のＣＮＡＭＥを通じて前記第２のドメインへのものである、請求項１２に記載のコンテンツ配信ネットワーク。
【請求項１４】
少なくとも１つの追加の特徴に関連づけられた少なくとも１つの追加のドメインに結合された少なくとも１つの追加のコンテンツサーバを更に備える、請求項８から１３のいずれか一項に記載のコンテンツ配信ネットワーク。
【請求項１５】
前記第１の特性に関連づけられた少なくとも１つの追加のドメインと、前記第２の特性に関連づけられた少なくとも１つの追加のドメインと、を含む、請求項８から１４のいずれか一項に記載のコンテンツ配信ネットワーク。
【請求項１６】
リソースの第１の特性または第２の特性の少なくとも一方への前記リソースの関連性を受信する段階と、
前記リソースが前記第１の特性を有すると示されるとき、前記リソースを前記第１の特性に関連づけられた第１のドメインに割り当てる段階であって、前記第１のドメインはコンテンツ配信ネットワークの少なくとも１つの第１のコンテンツサーバに結合され、そこから前記リソースを取得すべく接続が行われ得る、段階と、
前記リソースが前記第２の特性を有すると示されるとき、前記リソースを前記第２の特性に関連づけられた第２のドメインに割り当てる段階であって、前記第２のドメインが、コンテンツ配信ネットワークの少なくとも１つの第２のコンテンツサーバと結合され、そこから前記リソースを取得すべく接続が行われ得る、段階と、
に関するコンピュータ実行可能な命令を実行するように構成された少なくとも１つのプロセッサデバイスを備える、装置。
【請求項１７】
第１のコンテンツに第１の特性を割り当てる段階と、
第２のコンテンツに第２の特性を割り当てる段階と、
第１のドメインに第１のサーバを結合する段階と、
第２のドメインに第２のサーバを結合する段階と、
前記第１のドメインに前記第１のサーバを結合した後、ウェブページの要求を受信する段階と、
前記ウェブページの前記要求の受信に応答して、
前記第１のコンテンツの前記第１の特性に基づいて、第１の埋め込まれたリソースに第１のホスト名を割り当てる段階と、
前記第２のコンテンツの前記第２の特性に基づいて、第２の埋め込まれたリソースに第２のホスト名を割り当てる段階と、
前記第１のホスト名および前記第２のホスト名を返す段階と、
前記第１のホスト名の選択の表示を受信する段階と、
前記第１のホスト名の前記選択の前記表示の受信に応答して、少なくとも前記第１のサーバを用いて前記第１のドメインから前記第１のコンテンツを配信する段階と、
を備える、請求項１６に記載の装置。
【請求項１８】
前記第１の特性が前記リソースの第１の人気度レベルに関し、前記第２の特性が前記リソースの第２の人気度レベルに関し、前記第１の人気度レベルが前記第２の人気度レベルとは異なる、請求項１６または１７に記載の装置。
【請求項１９】
前記コンピュータ実行可能な命令は、埋め込まれたリソースをＨＴＭＬドキュメント内に含むよう更に定義し、前記埋め込まれたリソースは前記第１のドメインを参照し、それによって、前記埋め込まれたリソースの選択は前記少なくとも１つの第１のコンテンツサーバへの要求を行わせ、または、前記埋め込まれたリソースは前記第２のドメインを参照し、それによって、前記埋め込まれたリソースの選択は前記少なくとも１つの第２のコンテンツサーバへの要求を行わせる、請求項１６から１８のいずれか一項に記載の装置。
【請求項２０】
前記コンピュータ実行可能な命令は、前記第１のドメインを参照する第１のＣＮＡＭＥと、前記第２のドメインを参照する第２のＣＮＡＭＥとを生成する、請求項１６から１９のいずれか一項に記載の装置。
【請求項２１】
前記コンテンツ配信ネットワークは、少なくとも１つの追加の特徴に関連づけられた少なくとも１つの追加のドメインを含む、請求項１６から２０のいずれか一項に記載の装置。
【請求項２２】
前記コンテンツ配信ネットワークは、前記第１の特性に関連づけられた少なくとも１つの追加のドメインと、前記第２の特性に関連づけられた少なくとも１つの追加のドメインと、を含む、請求項１６から２１のいずれか一項に記載の装置。